(57)【要約】  本発明は、面発光透明基板及びこれを用いた面発光パネルに係り、より詳しくは、板状の透明基板の側面から流入した光を透明基板の面全体に亘って発光させるために、透明基板の表面にナノ構造物を形成することにより、可視光の透過度の低下なしに面発光が可能であり、しかもディスプレイ機能が実現可能な面発光透明基板及びこれを用いた面発光パネルに関する。【選択図】図２
2016524267.tif 000002
【特許請求の範囲】
【請求項１】
板状の透明基板の側面から流入した光を透明基板の面全体に亘って発光させるために、表面にナノ構造物が形成されることを特徴とする表面にナノパターンが形成された面発光透明基板。
【請求項２】
前記ナノ構造物は、マスキング及びエッチング工程により透明基板の表面に直接的に形成されることを特徴とする請求項１に記載の表面にナノパターンが形成された面発光透明基板。
【請求項３】
前記ナノ構造物は、ナノパターンを有するフィルムが透明基板の表面にコーティングされて間接的に形成されることを特徴とする請求項１に記載の表面にナノパターンが形成された面発光透明基板。
【請求項４】
前記ナノ構造物は、透明基板の表面の一部にのみ形成され、
前記板状の透明基板の側面から流入した光は、ナノ構造物が形成された透明基板の表面の一部においてのみ発光することを特徴とする請求項１に記載の表面にナノパターンが形成された面発光透明基板。
【請求項５】
側面から光が流入しない場合、透明基板の表面の可視光線の透過率は、８５〜９９％であることを特徴とする請求項１に記載の表面にナノパターンが形成された面発光透明基板。
【請求項６】
前記板状の透明基板の側面から流入する光は、発光ダイオード（ＬＥＤ）又はレーザーダイオード（ＬＤ）光源によるものであることを特徴とする請求項１に記載の表面にナノパターンが形成された面発光透明基板。
【請求項７】
前記板状の透明基板の側面に沿ってそれぞれ異なる色相を発する多数の光源が配置され、
前記光源から発せられる光を混合して前記板状の透明基板の表面に様々な色相を実現することを特徴とする請求項６に記載の表面にナノパターンが形成された面発光透明基板。
【請求項８】
前記板状の透明基板の表面に様々な色相のフェードアウト又はアニメーションを実現するために、前記光源の発光に時間差、印加電圧差、又は供給電流差を設けることを特徴とする請求項７に記載の表面にナノパターンが形成された面発光透明基板。
【請求項９】
前記光源から発せられる光は、光ファイバを介して前記板状の透明基板の側面に流入することを特徴とする請求項６に記載の表面にナノパターンが形成された面発光透明基板。
【請求項１０】
前記板状の透明基板の側面に沿って光ファイバが配置され、
前記配置された光ファイバから流入した光は、互いに交差する箇所において混合色が発現されることを特徴とする請求項９に記載の表面にナノパターンが形成された面発光透明基板。
【請求項１１】
前記光ファイバから流入した光は、互いに交差する箇所の混合色を調節して前記板状の透明基板の表面にディスプレイ機能を与えることを特徴とする請求項１０に記載の表面にナノパターンが形成された面発光透明基板。
【請求項１２】
前記板状の透明基板の表面にディスプレイ機能を与えるために黒色が必要である場合、（ｉ）前記面発光透明基板の背面にエレクトロクロミックコーティング処理を施すか、又は（ｉｉ）エレクトロクロミックコーティング処理を施した透明基板を前記面発光透明基板の後方に更に配置し、エレクトロクロミックコーティング層に電圧を印加して黒色を発現することを特徴とする請求項１１に記載の表面にナノパターンが形成された面発光透明基板。
【請求項１３】
請求項１乃至１２のいずれか一項に記載の面発光透明基板と、
前記面発光透明基板の側面に沿って設けられた透明基板窓枠と、
前記透明基板窓枠に設けられて前記面発光透明基板の側面に光を流入させる光源と、を備えることを特徴とする表面にナノパターンが形成された面発光パネル。
【請求項１４】
前記面発光パネルは、多数設けられ、
設けられたそれぞれの面発光パネルが互いに異なる色相を発光することにより、イメージ、動画、又は文字が実現されることを特徴とする請求項１３に記載の表面にナノパターンが形成された面発光パネル。
【請求項１５】
前記面発光パネルにフレームが設けられ、
前記フレームにより前記面発光透明基板の表面が多数の区域に仕切られることを特徴とする請求項１３に記載の表面にナノパターンが形成された面発光パネル。
【請求項１６】
前記フレームにより仕切られた区域毎にそれぞれ異なる色相が発光されるようにして前記面発光透明基板の表面にモザイク模様を実現することを特徴とする請求項１５に記載の表面にナノパターンが形成された面発光パネル。
【発明の詳細な説明】
【技術分野】
【０００１】
本発明は、面発光透明基板及びこれを用いた面発光パネルに係り、より詳しくは、板状の透明基板の側面から流入した光を透明基板の面全体に亘って発光させるために、透明基板の表面にナノ構造物を形成することにより、可視光の透過度の低下なしに面発光が可能であり、しかもディスプレイ機能が実現可能な面発光透明基板及びこれを用いた面発光パネルに関する。
【背景技術】
【０００２】
面発光技術とは、一般に、液晶表示装置（ＬＣＤ）の導光板（ｂａｃｋｌｉｇｈｔ  ｕｎｉｔ：ＢＬＵ）に適用されて導光板の側面に入射した光が導光板のマイクロ突起や窪みにより入射光に対して垂直に屈折されて全体に面発光する技術である。特に、通常、突起よりは窪みの方が多用される。
【０００３】
最近は、マイクロ突起を用いた面発光技術を透明基板、詳しくはガラスやプラスチックフィルムに適用して建築物の外観に応用しようとする試みが行われている。しかし、面発光技術を透明基板に適用した従来の技術は、図１に示すように、可視光線の乱れにより透明基板の透過度が著しく低下するという問題があり、様々な色相及び模様を表現し、しかもディスプレイ機能まで実現するのには限界があった。
【０００４】
この理由から、平常時には可視光線の透過度の低下なしに透明基板それ自体としての機能を発揮しながらも、必要に応じて様々な色相及びイメージが実現可能であり、更にディスプレイ機能まで実現可能な面発光透明基板への取り組みが切望されているのが現状である。
【発明の概要】
【発明が解決しようとする課題】
【０００５】
本発明は、上記従来の問題点に鑑みてなされたものであって、本発明の目的は、板状の透明基板の表面に可視光線の波長よりも小さなナノ寸法の構造物を形成することにより、可視光線の透過度の損失のない面発光透明基板及びこれを用いたパネルを提供して面発光技術を建築、インテリア、及び広告の分野などに効率よく適用することにある。
また、本発明の目的は、上記板状の透明基板の側面に流入する光の色相、位置、直線性、又は強さなどを調節して様々な色相及びイメージを表現し、しかもディスプレイ機能まで実現可能な面発光透明基板及びこれを用いたパネルを提供することにある。
【課題を解決するための手段】
【０００６】
上記目的を達成するためになされた本発明の一態様による表面にナノパターンが形成された面発光透明基板は、板状の透明基板の側面から流入した光を透明基板の面全体に亘って発光させるために、表面にナノ構造物が形成されることを特徴とする。
【０００７】
前記ナノ構造物は、マスキング及びエッチング工程により透明基板の表面に直接的に形成されるか、或いはナノパターンを有するフィルムが透明基板の表面にコーティングされて間接的に形成され得る。
前記ナノ構造物は、透明基板の表面の一部にのみ形成され、前記板状の透明基板の側面から流入した光をナノ構造物が形成された透明基板の表面の一部においてのみ発光させて透明基板の表面に文字や絵柄などを自由に表現し得る。
このとき、板状の透明基板の側面から光が流入しない場合には、透明基板の表面の可視光線の透過率は、８５〜９９％になって可視光線の透過度の損失が殆どない。
一方、前記板状の透明基板の側面から流入する光が発せられる光源としては、様々な光源が採用可能であり、発光ダイオード（ＬＥＤ）又はレーザーダイオード（ＬＤ）光源が採用されることが好ましく、このとき、前記板状の透明基板の側面に沿ってそれぞれ異なる色相を発する多数の光源を配置し、前記光源から発せられる光を混合して前記板状の透明基板の表面に様々な色相を実現し得る。なお、前記板状の透明基板の表面に様々な色相のフェードアウトやアニメーションなどを実現するために、前記光源の発光に時間差、印加電圧差、又は供給電流差を設け得る。
また、前記光源から発せられる光は、光ファイバを介して非常に細く導かれて前記板状の透明基板の側面に流入し、前記板状の透明基板の側面に沿って（ｉ）光ファイバ及び（ｉｉ）これを抜け出した光を集束するためのレンズを配置し、前記光ファイバから流入した光は、互いに交差する箇所において混合色が発現され得る。このとき、前記光ファイバから流入した光は、互いに交差する箇所の混合色を調節して前記板状の透明基板の表面にディスプレイ機能を与え得る。
更に、前記透明基板の表面のディスプレイ機能を発揮させるに際して黒色が必要である場合、（ｉ）前記面発光透明基板の背面にエレクトロクロミックコーティング処理を施すか、又は（ｉｉ）エレクトロクロミックコーティング処理を施した透明基板を前記面発光透明基板の後方に更に配置し、エレクトロクロミックコーティング層に電圧を印加して黒色を発現し得る。
【０００８】
上記目的を達成するためになされた本発明の一態様による表面にナノパターンが形成された面発光パネルは、前記面発光透明基板と、前記面発光透明基板の側面に沿って設けられた透明基板窓枠と、前記透明基板窓枠に設けられて前記面発光透明基板の側面に光を流入させる光源と、を備えることを特徴とする。
【０００９】
このとき、前記面発光パネルは、多数設けられ、設けられたそれぞれの面発光パネルが互いに異なる色相を発光することにより、イメージ、動画、又は文字が実現され得る。
また、前記面発光パネルに窓浅などのフレームが設けられ、前記フレームにより前記面発光透明基板の表面が多数の区域に仕切られ、このとき、前記フレームにより仕切られた区域毎にそれぞれ異なる色相が発光されるようにして前記面発光透明基板の表面にモザイク模様を実現し得る。
【発明の効果】
【００１０】
本発明の面発光透明基板は、表面に可視光線の波長よりも小さなナノ寸法の構造物を形成することにより、可視光線の透過度の損失を防ぐと共に、透明基板の側面から流入した光を透明基板の面全体に発光させ、これにより、面発光技術を建築、インテリア、広告分野などに効率よく適用することができる。
また、それぞれ異なる色相を発する多数の発光ダイオード（ＬＥＤ）又はレーザーダイオード（ＬＤ）光源を配置し、これによる色相を適切に混合することにより、様々な色相、動くイメージ、動画、審美的雰囲気、広告文句、又は様々な照明などを実現することができる。
一方、本発明の面発光透明基板は、光ファイバを用いてディスプレイとして活用することができ、側面に沿って光源が配置された透明基板の窓枠を用いて一つの面発光パネルを構成し、これにより、様々な審美的な雰囲気を演出することができる。
【図面の簡単な説明】
【００１１】
【図１】従来の面発光ガラスが設けられた建物の写真である（建物の４階から設けられており、下階の通常のガラスと比較して既存の面発光ガラスは透過度が著しく低下することが分かる）。
【図２】本発明による面発光ガラスの一方の面にＲＧＢＷ（赤、緑、青、白）発光ダイオード（ＬＥＤ）光源を流入させたときに面発光される様子（ａ）〜（ｄ）と、本発明による面発光ガラスの背面にエレクトロクロミックコーティングが施された場合、電圧が印加されなかったときには透明な状態であるが、電圧が印加されると黒色に変わる様子（ｅ）を示す模式図である。
【図３】本発明によるナノ構造物が表面に形成された面発光ガラスと通常のガラスの比較実験写真である（（ａ）は、通常のガラス及び面発光ガラスの周縁に光源を照らさなかったときの比較写真であり、（ｂ）は、通常のガラス及び面発光ガラスの側面に青色の光源を照らしたときの比較写真であり、（ｃ）において、（ｉ）左側は通常のガラスであり、（ｉｉ）中央は表面の一部にのみ本発明によりナノ構造物を形成した面発光ガラスであり、（ｉｉｉ）右側は表面の全体にナノ構造物を形成した面発光ガラスであり、各ガラスの側面に緑色の光源を照らしたときの比較写真である）。
【図４】本発明の一実施形態によるフレームが設けられた面発光パネルの模式図である。
【図５】ナノパターンの形成工程を示す手順図である。
【図６】本発明の一実施形態による面発光ガラスの側面に様々な色相の光源を取り付けて側面から入射する光が交差する箇所で混合色を実現する様子を示す模式図である。
【図７】マスク層を用いてガラス基板の表面を選択的にエッチングし、マスク層を除去して形成したナノパターンを示す走査電子顕微鏡（ＳＥＭ）写真である。
【図８】マスク層を用いてガラス基板の表面を選択的にエッチングし、マスク層を除去して形成したナノパターンを示す走査電子顕微鏡（ＳＥＭ）写真である。
【図９】本発明の一実施形態によるナノパターンが形成されたガラス基板の透光度を示すグラフである（基準波長：５５０ｎｍ、細い線は通常のガラスの透光度を示し、太い線は表面にナノパターンが形成された面発光ガラスの透光度を示す）。
【発明を実施するための形態】
【００１２】
以下、本発明の面発光透明基板及びこれを用いた面発光パネルを実施するための形態の具体例を、図面を参照しながら詳細に説明する。
【００１３】
本発明の面発光透明基板は、板状の透明基板の側面から流入した光を透明基板の面全体に発光させるために、表面にナノ構造物が形成される。このとき、ナノ構造物は、マスキング及びエッチング工程により透明基板の表面に直接的に形成され、ナノパターンを有するフィルムが透明基板の表面にコーティングされて間接的に形成される。
【００１４】
本発明によるナノ構造物が表面に形成された透明基板は、発光しないときには、図３の（ａ）に示すように、透明基板の表面の可視光線の透過度の損失が殆どなく、しかも面発光処理後に透過率がむしろ向上する。
【００１５】
詳しくは、本発明によりナノ構造物を表面に形成することにより、（ｉ）透過率が通常約８０％である建築用ガラスの場合には８０〜８５％への透過率の向上が得られ、（ｉｉ）透過率が８９〜９０％である通常のガラスの場合には９０〜９２％への透過率の向上が得られ、（ｉｉｉ）透過率が約９２％であるディスプレイ用強化ガラスの場合には９２〜９６％への透過率の向上が得られる。なお、ナノ構造物をガラスの両面に形成した場合、上述した可視光線の透過度の向上により約９９％の可視光線の透過率が得られる。
【００１６】
一方、板状の透明基板の側面から流入する光が発せられる光源としては、様々な光源が採用可能であり、好ましくは、図２及び図３に示すように、ＷＲＧＢ（白、赤、緑、青）発光ダイオード（ＬＥＤ）光源又はレーザーダイオード（ＬＤ）光源が採用される。このとき、光源は側面のいずれか一方の面にのみ設けられるか、又は側面毎にそれぞれ異なる色相を発する多数の光源が配置される。
【００１７】
また、ＷＲＧＢ（白、赤、緑、青）光源それ自体を一組に束ねてこれらを組み合わせて混合色を注入し、図６に示すように、面発光透明基板の側面に沿って多数の光源を取り付け、それぞれ側面から入射した光が交差する箇所において混合色を実現して様々な色相を表現する。
【００１８】
本発明の面発光透明基板は、様々な方式により応用可能であり、図３の（ｃ）の中央に配置された面発光ガラスに示すように、一実施形態において、ナノ構造物をガラスの表面の一部にのみ形成し、板ガラスの側面から流入した光が、ナノ構造物が形成された透明基板の表面の一部においてのみ発光するようにして透明基板の表面に文字や絵柄などを自由に表現し、光源の発光に時間差、印加電圧差、又は供給電流差を設けて透明基板の表面に様々な色相のフェードアウトやアニメーションなどを実現する。
【００１９】
このような様々な応用方式を用い、室内において審美的な雰囲気を演出したり感性的な照明を種々に演出したりする。一実施形態において、ガラス窓の場合に、太陽光が差す昼間に光源を点灯することにより、太陽光の一部を遮断する効果と窓の色相の変化とが両立する。
【００２０】
一方、光源から発せられる光は、光ファイバを介して板状の透明基板の側面に流入される。
【００２１】
これにより、側面に配置される光源の数を減らして一つの光ファイバ光源にまとめ、透明基板の側面に流入する光を、光ファイバを介して非常に細く導くことにより、互いに交差する箇所を混合色に調節する上でピクセルを小さくしてディスプレイとして活用するときに解像度が高くなる。
【００２２】
このとき、光ファイバを介して抜け出す光が広がることを防ぐためにレンズを取り付けることにより、面発光透明基板の側面の所望の方向に光を入射させることができる。
【００２３】
また、ディスプレイ機能を発揮するために黒色が必要である場合、（ｉ）面発光透明基板の背面にエレクトロクロミックコーティング処理を施すか、又は（ｉｉ）面発光透明基板の後方にエレクトロクロミックコーティング処理を施した透明基板を更に配置し、エレクトロクロミックコーティング層に電圧を印加して黒色を発現する。このとき、面発光透明基板における黒色が実現されるべき箇所の光源を消灯して背面の黒色が現れるようにしてもよい。
【００２４】
一方、本発明の面発光パネルは、上述した面発光透明基板と、面発光透明基板の側面に沿って設けられた透明基板窓枠及び透明基板窓枠に設けられて面発光透明基板の側面に光を流入させる光源を備える。
【００２５】
このとき、多数の面発光パネルを隣設し、隣設されたそれぞれの面発光パネルが互いに異なる色相、互いに異なる文字又は模様で発光することにより、イメージ、動画、又は審美的な飾りなどが実現される。
【００２６】
また、図４に示すように、面発光パネルに透明基板の表面を縦方向又は横方向に横切る窓枠などのフレームを設けてフレームにより面発光透明基板を複数の区域に仕切り、仕切られた区域毎にそれぞれ異なる色相が発光されて面発光透明基板の表面にモザイク模様が実現される。
【００２７】
以下、上述したナノパターンの形成及び面発光透明基板の可視光線の透過度と発光特性に対する実施形態についてより具体的に説明する。但し、下記の実験例は本発明に対する理解を促進する一助とするためのものに過ぎず、本発明が下記の実験例によって限定されることはない。
【００２８】
［実施例１］ナノパターンの形成
【００２９】
図５の手順図に示すように、先ず、ガラス基板又は透明フィルムの表面に物理的又は化学的気相蒸着法を用いてナノ凝集粒子を形成することにより、ナノ凝集粒子の間にガラス基板又は透明フィルムが露出した開口を有するマスク層を形成する。これに関する先行技術文献として、大韓民国登録特許第１０−１２１７７８３号公報が挙げられる。
【００３０】
次いで、マスク層をエッチング保護層として用いて開口から露出したガラス基板又は透明フィルムの表面を選択的にエッチングすることにより、ガラス基板又は透明フィルムの表面にナノパターンを形成する。
【００３１】
本実施形態により形成されたナノパターン形成結果物は、図７及び図８の走査電子顕微鏡（ＳＥＭ）写真から確認される。
【００３２】
［実施例２］面発光ガラスの可視光線の透過度及び面発光特性
【００３３】
実施例１に従い製造された面発光ガラスは、光を照らさなかったときには、図３の（ａ）に示すように、通常のガラスと同様に透明であることが分かる。一方、発光ダイオード（ＬＥＤ）光源から発せられた光をガラスの側面を介して流入させると、図３の（ｂ）に示すように、通常のガラスが透明な状態をそのまま維持するのに対し、面発光ガラスはガラス面の全体に亘って発光することが分かる。
【００３４】
一方、図９は、ナノパターンが形成されたガラス基板における波長に対する透光度を示すグラフであり、表面のナノパターンの形成による反射度の減少によりガラス基板の透光度が改善されることが確認される。
【００３５】
使用したガラスの透光度は、可視光領域（５５０ｎｍ）において９０．８％のレベルであるが（図９の細い線）、本発明のナノパターンが形成された後のガラス基板の透光度は９４．６％のレベル（図９の太い線）であることが確認される。
【００３６】
本発明は、上述した特定の実施形態及び説明に何ら限定されるものではなく、特許請求の範囲において請求する本発明の要旨を逸脱することなく当該発明が属する技術分野において通常の知識を有する者であれば誰でも種々の変形実施が可能であり、そのような変形は本発明の保護範囲内にある。
【符号の説明】
【００３７】
１０５    透明基板ガラス又は透明フィルム
１１０    ナノ凝集粒子
１１１    開口
１１２    マスク層
１２０    ナノパターン
２０５    面発光透明基板
２１０    透明基板窓枠
２１１    光源
２１２    フレーム
【図２】
2016524267.tif 000003
【図４】
2016524267.tif 000004
【図５】
2016524267.tif 000005
【図６】
2016524267.tif 000006
【図７】
2016524267.tif 000007
【図８】
2016524267.tif 000008
【図９】
2016524267.tif 000009
【図１】
2016524267.tif 000010
【図３】
2016524267.tif 000011
【手続補正書】
【提出日】平成27年11月12日(2015.11.12)
【手続補正１】
【補正対象書類名】特許請求の範囲
【補正対象項目名】全文
【補正方法】変更
【補正の内容】
【特許請求の範囲】
【請求項１】
板状の透明基板の表面に突起又は窪み状のナノ構造物が形成され、前記板状の透明基板の側面に流入した光を前記ナノ構造物により反射させて前記ナノ構造物が形成された表面の反対面の全体に亘って発光させることを特徴とする表面にナノパターンが形成された面発光透明基板。
【請求項２】
前記ナノ構造物は、マスキング及びエッチング工程により透明基板の表面に直接的に形成されることを特徴とする請求項１に記載の表面にナノパターンが形成された面発光透明基板。
【請求項３】
前記ナノ構造物は、ナノパターンを有するフィルムが透明基板の表面に貼り付けられて間接的に形成されることを特徴とする請求項１に記載の表面にナノパターンが形成された面発光透明基板。
【請求項４】
前記ナノ構造物は、透明基板の表面の一部にのみ形成され、
前記板状の透明基板の側面から流入した光は、ナノ構造物が形成された透明基板の表面の一部においてのみ発光することを特徴とする請求項１に記載の表面にナノパターンが形成された面発光透明基板。
【請求項５】
側面から光が流入しない場合、透明基板の表面の可視光線の透過率は、８５〜９９％であることを特徴とする請求項１に記載の表面にナノパターンが形成された面発光透明基板。
【請求項６】
前記板状の透明基板の側面から流入する光は、発光ダイオード（ＬＥＤ）又はレーザーダイオード（ＬＤ）光源によるものであることを特徴とする請求項１に記載の表面にナノパターンが形成された面発光透明基板。
【請求項７】
前記板状の透明基板の側面に沿ってそれぞれ異なる色相を発する多数の光源が配置され、
前記光源から発せられる光を混合して前記板状の透明基板の表面に様々な色相を実現することを特徴とする請求項６に記載の表面にナノパターンが形成された面発光透明基板。
【請求項８】
前記板状の透明基板の表面に様々な色相のフェードアウト又はアニメーションを実現するために、前記光源の発光に時間差、印加電圧差、又は供給電流差を設けることを特徴とする請求項７に記載の表面にナノパターンが形成された面発光透明基板。
【請求項９】
前記光源から発せられる光は、光ファイバを介して前記板状の透明基板の側面に流入することを特徴とする請求項６に記載の表面にナノパターンが形成された面発光透明基板。
【請求項１０】
前記板状の透明基板の側面に沿って光ファイバが配置され、
前記配置された光ファイバから流入した光は、互いに交差する箇所において混合色が発現されることを特徴とする請求項９に記載の表面にナノパターンが形成された面発光透明基板。
【請求項１１】
前記光ファイバから流入した光は、互いに交差する箇所の混合色を調節して前記板状の透明基板の表面にディスプレイ機能を与えることを特徴とする請求項１０に記載の表面にナノパターンが形成された面発光透明基板。
【請求項１２】
前記板状の透明基板の表面にディスプレイ機能を与えるために黒色が必要である場合、（ｉ）前記面発光透明基板の背面にエレクトロクロミックコーティング処理を施すか、又は（ｉｉ）エレクトロクロミックコーティング処理を施した透明基板を前記面発光透明基板の後方に更に配置し、エレクトロクロミックコーティング層に電圧を印加して黒色を発現することを特徴とする請求項１１に記載の表面にナノパターンが形成された面発光透明基板。
【請求項１３】
請求項１乃至１２のいずれか一項に記載の面発光透明基板と、
前記面発光透明基板の側面に沿って設けられた透明基板窓枠と、
前記透明基板窓枠に設けられて前記面発光透明基板の側面に光を流入させる光源と、を備えることを特徴とする表面にナノパターンが形成された面発光パネル。
【請求項１４】
前記面発光パネルは、多数設けられ、
設けられたそれぞれの面発光パネルが互いに異なる色相を発光することにより、イメージ、動画、又は文字が実現されることを特徴とする請求項１３に記載の表面にナノパターンが形成された面発光パネル。
【請求項１５】
前記面発光パネルにフレームが設けられ、
前記フレームにより前記面発光透明基板の表面が多数の区域に仕切られることを特徴とする請求項１３に記載の表面にナノパターンが形成された面発光パネル。
【請求項１６】
前記フレームにより仕切られた区域毎にそれぞれ異なる色相が発光されるようにして前記面発光透明基板の表面にモザイク模様を実現することを特徴とする請求項１５に記載の表面にナノパターンが形成された面発光パネル。
【国際調査報告】
2016524267.tif 000012
2016524267.tif 000013
2016524267.tif 000014
2016524267.tif 000015